(57)【要約】【課題】図柄の変動表示中に、その変動表示態様が切り替わるとともに、当該切り替わりがたとえ保留が１つしか存在しない状況でも起こり得るという斬新な表示演出を遊技者に提供することができるパチンコ機を提供する。【解決手段】図柄表示部において装飾図柄を変動表示中に予定情報（すなわち保留情報）が発生すると、図柄表示部における変動表示態様を、特定装飾図柄を用いた特定詳細変動パターンによるものへと切り替えるか否かの突入抽選を実行するとともに、当該変動表示に係る残余時間を確認する。そして、突入抽選に当選し、且つ、残余時間が特定時間（実施形態では所定の単位変動時間）以上あると、当該変動表示中に、図柄表示部における変動表示態様を、特定装飾図柄を用いた特定詳細変動パターンによる変動表示態様へと切り替える。【選択図】図７
2013188468.tif 000002
【特許請求の範囲】
【請求項１】
遊技球が流下可能な遊技領域内に、遊技球が入賞可能な始動入賞口と、図柄を表示可能な図柄表示部とが設けられているとともに、遊技に係る動作を制御する制御装置と、前記図柄を記憶する図柄記憶領域、及び前記図柄表示部における前記図柄の変動表示態様であり、図柄変動時間が夫々異なる複数の詳細変動パターンを記憶する通常変動パターン記憶領域を有する記憶手段とが設けられており、
前記遊技領域内を流下する遊技球の前記始動入賞口への入賞を検出すると、前記制御装置は乱数を取得し、前記入賞に係る図柄の変動を開始するにあたって、取得した数値が所定の大当たり数値であるか否かの大当たり判定を実行するとともに前記図柄の図柄変動時間を決定し、決定した図柄変動時間に対応する前記詳細変動パターンにしたがい前記図柄表示部において前記図柄の変動を開始させ、前記図柄変動時間が経過すると、前記大当たり判定の結果に対応する確定表示態様で前記図柄を確定表示する一方、
前記図柄の変動表示中に遊技球の前記始動入賞口への入賞を検出すると、前記制御装置が取得した乱数を保留情報として前記記憶手段の保留情報記憶領域に記憶するとともに、前記図柄を確定表示する毎に前記保留情報を取得した順で順次消化するパチンコ機であって、
前記制御装置に、前記図柄の変動表示中における前記入賞の検出に起因して突入抽選を実行する突入抽選手段と、前記入賞を検出した時点から当該変動表示において前記図柄が確定表示となるまでの残余時間を確認する残余時間確認手段とを備えるとともに、前記記憶手段に、前記図柄表示部に表示可能な特定図柄を記憶する特定図柄記憶領域と、前記特定図柄の変動を開始させ、特定時間が経過すると、前記特定図柄を所定の停止表示態様で停止表示する特定詳細変動パターンを少なくとも含んだ前記図柄表示部における前記特定図柄の変動表示態様を記憶する特定変動パターン記憶領域とを設け、
前記制御装置は、前記突入抽選を実行するとともに、前記入賞を検出した時点から当該変動表示において前記図柄が確定表示となるまでの残余時間を確認した際、前記突入抽選に当選し、且つ、前記残余時間が前記特定時間以上であると、前記図柄の変動表示中に、前記特定図柄を前記特定詳細変動パターンにしたがって変動表示及び停止表示させる変動表示態様へ切り替えることを特徴とするパチンコ機。
【請求項２】
前記制御装置は、変動表示中の前記図柄が確定表示となるまでの時間が前記特定時間の自然数倍となる時点で、前記特定図柄を前記特定詳細変動パターンにしたがって変動表示及び停止表示させる変動表示態様へ切り替えるとともに、前記図柄変動時間が経過するまで、前記特定詳細変動パターンにしたがった前記特定図柄の変動表示及び停止表示を繰り返すことを特徴とする請求項１に記載のパチンコ機。
【請求項３】
前記制御装置は、前記図柄表示部における変動表示態様を、前記特定図柄を前記特定詳細変動パターンにしたがって変動表示及び停止表示させる変動表示態様へと切り替えた後、少なくとも前記突入抽選に当選した前記入賞に係る前記保留情報を消化するまで、前記特定変動パターン記憶領域に記憶されている前記変動表示態様にしたがい前記特定図柄を変動表示及び停止表示させることを特徴とする請求項１又は２に記載のパチンコ機。
【発明の詳細な説明】
【技術分野】
【０００１】
本発明は、遊技領域へ遊技球を打ち込んで流下させて遊技するパチンコ機に関するものである。
【背景技術】
【０００２】
従来一般的なパチンコ機では、図柄の変動表示中に始動入賞口やチューリップ式電動役物へ遊技球が入賞すると、該入賞に伴い実行した「大当たり抽選」に係る情報を保留情報として所定個数まで記憶し、図柄を確定表示した後に、最も古い保留情報にもとづいて再度図柄の変動表示を開始するようになっている。また、特許文献１に開示されているパチンコ機のように、保留情報を先読み判定（たとえば「大当たり抽選」の結果が「大当たり」であるか否かを確認）し、先読み判定の結果が所定の結果である（たとえば「大当たり抽選」の結果が「大当たり」である保留情報が存在する）と、その保留情報よりも先に消化される保留情報にもとづく図柄の確定表示に際して、特別な確定表示態様（たとえばチャンス図柄表示態様）で図柄を確定表示させるようなものも考案されている。
【先行技術文献】
【特許文献】
【０００３】
【特許文献１】実開平７−２４３８３号公報
【発明の概要】
【発明が解決しようとする課題】
【０００４】
しかしながら、上記特許文献１に記載の発明では、特別な確定表示態様で図柄を確定表示させる状況が起こり得るのは、保留の数が複数存在する場合に限られており、発生しづらいという問題がある。また、図柄の変動表示自体が変わるわけではなく、確定表示態様が変わるにすぎないため、遊技者にしてみると、図柄の変動表示が単調に感じられてしまうという問題もある。
【０００５】
そこで、本発明は、上記問題に鑑みなされたものであって、図柄の変動表示中に、その変動表示態様が切り替わるとともに、当該切り替わりがたとえ保留が１つしか存在しない状況でも起こり得るという斬新な表示演出を遊技者に提供することができるパチンコ機を提供しようとするものである。
【課題を解決するための手段】
【０００６】
上記目的を達成するために、本発明のうち請求項１に記載の発明は、遊技球が流下可能な遊技領域内に、遊技球が入賞可能な始動入賞口と、図柄を表示可能な図柄表示部とが設けられているとともに、遊技に係る動作を制御する制御装置と、前記図柄を記憶する図柄記憶領域、及び前記図柄表示部における前記図柄の変動表示態様であり、図柄変動時間が夫々異なる複数の詳細変動パターンを記憶する通常変動パターン記憶領域を有する記憶手段とが設けられており、前記遊技領域内を流下する遊技球の前記始動入賞口への入賞を検出すると、前記制御装置は乱数を取得し、前記入賞に係る図柄の変動を開始するにあたって、取得した数値が所定の大当たり数値であるか否かの大当たり判定を実行するとともに前記図柄の図柄変動時間を決定し、決定した図柄変動時間に対応する前記詳細変動パターンにしたがい前記図柄表示部において前記図柄の変動を開始させ、前記図柄変動時間が経過すると、前記大当たり判定の結果に対応する確定表示態様で前記図柄を確定表示する一方、前記図柄の変動表示中に遊技球の前記始動入賞口への入賞を検出すると、前記制御装置が取得した乱数を保留情報として前記記憶手段の保留情報記憶領域に記憶するとともに、前記図柄を確定表示する毎に前記保留情報を取得した順で順次消化するパチンコ機であって、前記制御装置に、前記図柄の変動表示中における前記入賞の検出に起因して突入抽選を実行する突入抽選手段と、前記入賞を検出した時点から当該変動表示において前記図柄が確定表示となるまでの残余時間を確認する残余時間確認手段とを備えるとともに、前記記憶手段に、前記図柄表示部に表示可能な特定図柄を記憶する特定図柄記憶領域と、前記特定図柄の変動を開始させ、特定時間が経過すると、前記特定図柄を所定の停止表示態様で停止表示する特定詳細変動パターンを少なくとも含んだ前記図柄表示部における前記特定図柄の変動表示態様を記憶する特定変動パターン記憶領域とを設け、前記制御装置は、前記突入抽選を実行するとともに、前記入賞を検出した時点から当該変動表示において前記図柄が確定表示となるまでの残余時間を確認した際、前記突入抽選に当選し、且つ、前記残余時間が前記特定時間以上であると、前記図柄の変動表示中に、前記特定図柄を前記特定詳細変動パターンにしたがって変動表示及び停止表示させる変動表示態様へ切り替えることを特徴とする。
請求項２に記載の発明は、請求項１に記載の発明において、前記制御装置は、変動表示中の前記図柄が確定表示となるまでの時間が前記特定時間の自然数倍となる時点で、前記特定図柄を前記特定詳細変動パターンにしたがって変動表示及び停止表示させる変動表示態様へ切り替えるとともに、前記図柄変動時間が経過するまで、前記特定詳細変動パターンにしたがった前記特定図柄の変動表示及び停止表示を繰り返すことを特徴とする。
請求項３に記載の発明は、請求項１又は２に記載の発明において、前記制御装置は、前記図柄表示部における変動表示態様を、前記特定図柄を前記特定詳細変動パターンにしたがって変動表示及び停止表示させる変動表示態様へと切り替えた後、少なくとも前記突入抽選に当選した前記入賞に係る前記保留情報を消化するまで、前記特定変動パターン記憶領域に記憶されている前記変動表示態様にしたがい前記特定図柄を変動表示及び停止表示させることを特徴とする。
なお、特定詳細変動パターンにおける特定図柄の停止表示とは、特定図柄を完全に停止させる表示に限るものではなく、完全には停止させず、上下左右等へ特定図柄を僅かに揺らせるような表示も含む。
【発明の効果】
【０００７】
本発明によれば、図柄の変動表示中における入賞の検出に起因して突入抽選を実行するとともに、入賞を検出した時点から当該変動表示において図柄が確定表示となるまでの残余時間を確認しており、突入抽選に当選し、且つ、残余時間が特定時間以上であると、図柄の変動表示中に、特定図柄を特定詳細変動パターンにしたがって変動表示及び停止表示させる変動表示態様へ切り替える。したがって、図柄表示部において図柄の変動中に、その変動表示態様が急に切り替わるといった従来にない斬新な演出を提供することができる。また、保留数が１つしか存在しない状況でも変動表示態様が切り替わり得るため、保留数が複数必要だった従来のものと比較して切り替わる状況が発生しやすく（ひいては切り替わる演出が出現しやすく）、遊技性の高いパチンコ機とすることができる。
また、変動表示中の図柄が確定表示となるまでの時間が特定時間の自然数倍となる時点で、特定図柄を特定詳細変動パターンにしたがって変動表示及び停止表示させる変動表示態様へ切り替えるとともに、図柄変動時間が経過するまで、特定詳細変動パターンにしたがった特定図柄の変動表示及び停止表示を繰り返す。したがって、保留となる入賞が発生したタイミングにもとづいて図柄表示部における変動表示態様が切り替わるタイミングが変わることになり、趣向性が更に増すし、保留数と特定図柄の変動回数とが一致しないという新たな表示演出を遊技者に提供することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】パチンコ機の制御機構を示したブロック図である。
【図５】ｄカウンタの数値と「基本変動パターン」との対応を示した説明図である。
【図６】「基本変動パターン」と「詳細変動パターン」との対応を示した説明図である。
【図７】図柄表示部において通常の装飾図柄を変動表示している状態において予定情報を受信した際の制御を示したフローチャート図である。
【図８】突入抽選に当選した状態において、図柄表示部で装飾図柄の変動表示中に予定情報を受信した際の制御を示したフローチャート図である。
【図９】特定詳細変動パターンでの変動表示を、予定情報をまたいで継続するか否か制御について示したフローチャート図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄を表示するための図柄表示部６が設けられている。さらに、図柄表示部６を囲むように種々の電動役物を備えたセンター部材２６が遊技盤２に設置されており、該センター部材２６の左方には、遊技球が通過可能なゲート部材６０が設けられている。加えて、遊技領域１６におけるセンター部材２６の下方には、遊技球が入賞可能な始動入賞口１９と、一対の翼片を開閉動作可能に備えたチューリップ式電動役物１７と、開閉可能な扉部材を有する大入賞装置１８とが設置されている。
【００１２】
さらに、遊技領域１６外となる遊技盤２の右下部には、保留情報の数を表示する４つのＬＥＤからなる保留表示部２０と、特別図柄を表示するための７セグメント表示器からなる特別図柄表示部６１とが設けられている。なお、保留表示部２０や特別図柄表示部６１は、前扉４を閉塞したとしても、前扉４の前方にいる遊技者から視認可能な位置に設けられている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置３０（図４に示す）、図柄表示部６における表示動作等を制御する表示制御装置５０（図４に示す）、ランプ部材１５の点灯／点滅動作等を制御する発光制御装置５１（図４に示す）、スピーカ１４からの報音動作を制御する音制御装置５２（図４に示す）、及び表示制御装置５０や音制御装置５２等の動作を統合的に制御するサブ制御装置４０（図４に示す）等が設置されている。尚、２２は、パチンコ機１をトランスに接続するためのプラグであり、２７は、アースである。
【００１５】
次に、パチンコ機１の制御機構について、図４をもとに説明する。図４は、パチンコ機１の制御機構を示したブロック図である。
メイン制御装置３０には、「大当たり抽選」の実行とともに下記部材の動作を制御するメインＣＰＵ３２、ＲＯＭやＲＡＭ等といった記憶手段３３、タイマ３４、及びインターフェイス３５等が搭載されたメイン制御基板３１が内蔵されている。そして、該メイン制御基板３１は、インターフェイス３５を介して、始動入賞口１９やチューリップ式電動役物１７、大入賞装置１８、払出制御装置２８、電源装置２９、及び特別図柄表示部６１等と接続されている。また、メイン制御基板３１は、サブ制御装置４０内に内蔵されたサブ統合基板４１とも電気的に接続されている。
【００１６】
記憶手段３３には、「大当たり抽選」に使用するｃカウンタ、及び主に「特別図柄」や「装飾図柄」の変動時間である基本変動パターン（図柄変動パターン）を決定するｄカウンタ等の複数のカウンタが内蔵されている。各カウンタは、電源投入時から所定の規則に従って所定の数値の間をごく短時間（たとえば１割込２．０００ｍｓ）のうちに１ずつ加算しながらループカウントするループカウンタであって、当該カウンタを用いた数値の取得は、乱数の取得とみなすことができる。また、ｃカウンタは０〜７００（７０１通り）の間を、ｄカウンタは０〜３０（３１通り）の間を夫々ループカウントするようになっている。そして、メインＣＰＵ３２は、遊技球の始動入賞口１９又はチューリップ式電動役物１７への入賞検出を契機としてｃカウンタ及びｄカウンタから夫々１つの数値を取得する（「大当たり抽選」を実行する）とともに、ｃカウンタによる取得数値が所定の「大当たり数値」であるか否かを判定する。
【００１７】
また、記憶手段３３には、特別図柄表示部６１に表示する特別図柄と、図５に示す如くｄカウンタの数値と基本変動パターンとを対応づけた基本変動パターン決定テーブルとが記憶されている。この基本変動パターンとは、主に特別図柄及び装飾図柄の変動時間（変動開始から確定表示までの時間）を規定するものであって、全ての基本変動パターンは、所定の単位変動時間（ここでは４．０秒）の自然数倍の長さとなっている。すなわち、図柄表示部６における装飾図柄の変動表示態様が所謂ノーマル外れ（リーチ演出無し）となる基本変動パターンＡは８．０秒（２倍）であり、ノーマルリーチ演出有りとなる基本変動パターンＢは１２．０秒（３倍）となっている。また、図柄表示部６における装飾図柄の変動表示態様がロングリーチ演出有りとなる基本変動パターンＣは２０．０秒（５倍）であり、スーパーリーチ演出有りとなる基本変動パターンＤは３２．０秒（８倍）となっている。さらに、記憶手段３３には、たとえば図柄表示部６において装飾図柄が変動表示中に始動入賞口１９へ遊技球が入賞したような場合に、当該入賞に伴うｃカウンタ及びｄカウンタの取得数値（入賞情報）を保留情報として最大４つまで記憶する保留情報記憶領域が設けられている。尚、保留情報記憶領域に記憶されている保留情報の数は、後述するようにサブ統合基板４１による制御のもと、保留表示部２０で点灯表示されて遊技者に報知される。また、保留情報は、特別図柄及び装飾図柄が確定表示される度に記憶した順番で順次消化され、該消化に伴って新たな保留情報が記憶可能となる。
【００１８】
サブ制御装置４０には、サブ統合ＣＰＵ４２、記憶手段４３、タイマ４４、及びインターフェイス４５等が搭載されたサブ統合基板４１が内蔵されている。該サブ統合基板４１は、インターフェイス４５を介してメイン制御基板３１と電気的に接続されているとともに、表示制御装置５０、発光制御装置５１、及び音制御装置５２と電気的に接続されており、サブ統合ＣＰＵ４２は、後述するようにメイン制御基板３１から大当たり抽選に係る信号を受信すると、その信号の内容に応じて各制御装置を制御し、スピーカ１４やランプ部材１５の動作や、図柄表示部６における装飾図柄の表示動作を制御するようになっている。さらに、サブ統合基板４１には、インターフェイス４５を介して、押しボタン２５、及び保留表示部２０等も接続されている。
【００１９】
また、記憶手段４３には、図柄表示部６に表示する通常の装飾図柄を記憶する図柄記憶領域（図示せず）と、該装飾図柄の詳細な変動表示態様やキャラクターの動画を用いたキャラクター演出等からなる複数の詳細変動パターン（図柄変動パターン）を記憶した通常変動パターン記憶領域４６とが設けられており、種々の詳細変動パターンが図６に示す如くメイン制御基板３１で決定される基本変動パターンと対応づけて記憶されている。尚、ノーマルリーチ演出は、リーチが確定するまでの共通変動演出８．０秒と、リーチ確定後の第１リーチ変動演出４．０秒とから構成されている。また、ロングリーチ演出は、共通変動演出８．０秒と、リーチ確定後の第２リーチ変動演出１２．０秒とから構成されている。さらに、スーパーリーチ演出は、共通変動演出８．０秒と、リーチ確定後の第３リーチ変動演出２４．０秒とから構成されている。
【００２０】
そして、上記パチンコ機１における基本的な遊技動作について、以下簡略に説明する。
遊技者によってハンドル９が回動操作されると、発射装置１０が作動し、発射通路１３を介して遊技球が遊技領域１６内へ打ち込まれる。そして、遊技領域１６内を流下する遊技球が始動入賞口１９又はチューリップ式電動役物１７へ入賞する（所定条件を充足する）と、当該入賞がメインＣＰＵ３２により検出される。すると、メインＣＰＵ３２は、入賞検出のタイミングでｃカウンタ及びｄカウンタから１つの数値を取得するとともに、今回取得したｃカウンタの数値が所定の「大当たり数値（たとえば“０”又は“３００”）」であるか否か、及び当該「大当たり数値」であるか否かを踏まえた上でのｄカウンタの取得数値に対応する基本変動パターンを先読み判定として一旦判定し、後述するような保留情報を記憶する際と同様の制御（たとえば予定情報の作成及び送信等）を実行した後、特別図柄表示部６１において特別図柄を変動表示中であるか否か、及び保留情報の有無を確認する。そして、特別図柄表示部６１において特別図柄が変動中でなく、且つ、保留情報が１つも存在しない場合、今回取得したｃカウンタの数値が所定の「大当たり数値（たとえば“０”又は“３００”）」であるか否か、すなわち今回の「大当たり抽選」の結果が「大当たり」であるか否かを再度大当たり判定として判定する。そして、「大当たり抽選」の結果、「大当たり」である（すなわち、取得数値が「大当たり数値」である）と、図５（ｂ）に示す基本変動パターン決定テーブルを用い、ｄカウンタの取得数値に対応する基本変動パターンを読み出す。一方、「大当たり抽選」の結果、「外れ」である（すなわち、取得数値が「大当たり数値」以外の数値である）と、図５（ａ）に示す基本変動パターン決定テーブルを用い、ｄカウンタの取得数値に対応する基本変動パターンを読み出す。その後、メインＣＰＵ３２は、「大当たり抽選」の結果（「大当たり」であるか「外れ」であるか）、及び読み出した基本変動パターン（特に変動時間）の種類を示す情報を含んだ開始コマンドを作成するとともに、当該開始コマンドをサブ統合ＣＰＵ４２へと送信する。また、特別図柄表示部６１において特別図柄を所定の態様で変動させるとともに、タイマ３４による計時を開始する。そして、読み出した基本変動パターンの変動時間が経過すると、「大当たり抽選」の結果に対応する特別図柄を確定表示させる（「大当たり」の場合には大当たり特別図柄表示態様である“３”又は“７”で、「外れ」の場合には“−”で夫々確定表示させる）とともに、停止信号を含んだ停止コマンドをサブ統合ＣＰＵ４２へと送信する。
【００２１】
一方、特別図柄表示部６１において特別図柄を変動表示中であったり、保留情報の有無を確認した際に保留情報が存在した場合には、当該入賞に伴うｃカウンタ及びｄカウンタの取得数値にもとづく先読み判定を実行するとともに、ｃカウンタ及びｄカウンタの取得数値を保留情報として記憶する。また、特別図柄を確定表示する度に、記憶されている保留情報のうち最も古い保留情報について「大当たり抽選」の結果が「大当たり」であるか否か等を大当たり判定として判定し、開始コマンドを送信する等の上記同様の制御を実行するとともに、当該最も古い保留情報を保留情報記憶領域から削除する。また、保留情報記憶領域に記憶されている保留情報の数が既に最大値に達していると、ｃカウンタ及びｄカウンタの取得数値の先読み判定を実行することなく、また、ｃカウンタ及びｄカウンタの取得数値を保留情報として記憶することなく削除する。
尚、チューリップ式電動役物１７の開閉動作に関しては、遊技領域１６内に設けられているゲート部材（図示せず）への遊技球の通過をもって、「大当たり抽選」同様の乱数取得による「抽選」を実行し、当選した場合にのみチューリップ式電動役物１７の翼片を所定の設定時間だけ開動作させるようになっている。
【００２２】
一方、サブ統合ＣＰＵ４２では、開始コマンドを受信すると、該開始コマンドに含まれている「大当たり抽選」の結果に応じて最終的に確定表示する装飾図柄を決定するとともに、通常変動パターン記憶領域４６から基本変動パターンに対応する詳細変動パターンを読み出し、タイマ４４により計時しながら、読み出した詳細変動パターンにしたがって図柄表示部６における装飾図柄を変動表示させる。そして、停止コマンドの受信に伴い、上記決定した装飾図柄を図柄表示部６に確定表示する。つまり、「大当たり抽選」の結果が「大当たり」であると、同一の装飾図柄を３つ並べる大当たり装飾図柄表示態様（たとえば“２・２・２”や“７・７・７”）で確定表示させる。また、「大当たり抽選」の結果が「外れ」であると、３つのうち少なくとも１つの装飾図柄が異なる外れ装飾図柄表示態様（たとえば“１・２・３”）で確定表示させる。
【００２３】
そして、「大当たり抽選」の結果が「大当たり」であると、装飾図柄及び特別図柄の確定表示後、メインＣＰＵ３２は、「大当たり状態」の開始を報知する開始デモ、大入賞装置１８の扉部材の所定回数にわたる断続的な開成、及び「大当たり状態」の終了を報知する終了デモからなる「大当たり状態」を生起させる。一方、「大当たり抽選」の結果が「外れ」であると、装飾図柄及び特別図柄の確定表示後、保留情報が存在する場合には、最も古い保留情報について「大当たり抽選」の結果の判定等を実行し、保留情報が存在しない場合には、次の始動入賞口１９又はチューリップ式電動役物１７への遊技球の入賞をもって「大当たり抽選」及びその結果の判定等を実行する。
【００２４】
（図柄変動中における変動表示態様切替演出）
ここで、本発明の要部となる図柄表示部６での装飾図柄の変動中に、その変動表示態様を特定の変動表示態様に切り替える演出について説明する。
メインＣＰＵ３２では、上述したように、ｃカウンタの取得数値を保留情報として記憶する際、当該保留情報に係る「大当たり抽選」の結果が「大当たり」であるか否かを先読み判定として一旦判定する。そして、その先読み判定の結果を含んだ先読み情報、及び当該保留情報が何個目の保留にもとづくものであるかを予定情報としてサブ統合基板４１へ送信するようになっている。なお、保留情報として記憶する情報はあくまで取得数値のみであり、保留情報の消化時に再度大当たり判定を実行するとともに、開始コマンドの送信等の上記制御を実行することになる。
【００２５】
一方、サブ統合基板４１の記憶手段４３には、受信した予定情報を記憶する予定情報記憶領域４７が設けられている。そして、サブ統合ＣＰＵ４２は、予定情報を受信すると予定情報記憶領域４７へ記憶するとともに、保留表示部２０においてＬＥＤを１つ点灯させて合計の点灯数を１つ増加させる。また、開始コマンドの受信にもとづいて、予定情報記憶領域４７から最も古い予定情報を削除するとともに、保留表示部２０においてＬＥＤを１つ消灯させて合計の点灯数を１つ減少させる。
【００２６】
さらに、サブ統合基板４１の記憶手段４３には、特定の条件が成立した際にのみ図柄表示部６に表示する特定装飾図柄（特定図柄）を記憶する特定図柄記憶領域（図示せず）と、該特定装飾図柄の詳細な変動表示態様やキャラクターの動画を用いたアニメーション演出等からなる特定詳細変動パターンを記憶した特定変動パターン記憶領域４８とが設けられている。この特定装飾図柄とは、「０」〜「９」の数字やアルファベット、漢字や記号等からなるものであって、通常の装飾図柄とは形状や色、大きさ等が異なっている。また、特定詳細変動パターンの変動時間は、上記単位変動時間（特定時間であって、ここでは４．０秒）であり、該単位変動時間内において特定の背景表示上で特定装飾図柄を変動表示させた後、停止表示させるものである。
【００２７】
そして、サブ統合ＣＰＵ４２では、図柄表示部６において通常の装飾図柄を変動表示している状態において予定情報を受信すると、その度に図７に示すような制御を実行する。
まず、サブ統合ＣＰＵ４２は、メインＣＰＵ３２で作成された予定情報を受信すると、現在の変動表示に係る「大当たり抽選」の結果が「大当たり」であるか否か、及び受信した予定情報よりも消化の優先順位が高い予定情報（古い予定情報）に「大当たり抽選」の結果が「大当たり」である予定情報が存在するか否かを判断する（Ｓ１）。つまり、サブ統合ＣＰＵが大当たり判定手段５５となる。そして、現在の変動表示に係る「大当たり抽選」の結果が「大当たり」である、若しくは、受信した予定情報よりも古い予定情報に「大当たり抽選」の結果が「大当たり」である予定情報が存在すると判断する（Ｓ１でＹＥＳと判断する）と、後述するような制御を実行することなく、上述したような制御にしたがい通常の装飾図柄を確定表示させる（Ｓ２）。すなわち、現在の変動表示に係る「大当たり抽選」の結果が「大当たり」である場合には、通常の装飾図柄を大当たり装飾図柄表示態様で確定表示させる。また、受信した予定情報よりも古い予定情報に「大当たり抽選」の結果が「大当たり」である予定情報が存在する場合には、現在の変動表示及び「大当たり抽選」の結果が「大当たり」である予定情報よりも消化の優先順位が更に高い予定情報に係る変動表示については、通常の装飾図柄を外れ装飾図柄表示態様で確定表示させ、「大当たり抽選」の結果が「大当たり」である予定情報に係る変動表示については、通常の装飾図柄を大当たり装飾図柄表示態様で確定表示させる。
【００２８】
一方、現在の変動表示に係る「大当たり抽選」の結果が「大当たり」でなく、且つ、受信した予定情報よりも古い予定情報に「大当たり抽選」の結果が「大当たり」である予定情報が存在しないと判断する（Ｓ１でＮＯと判断する）と、図柄表示部６における変動表示態様を、通常の装飾図柄を用いた変動表示態様から特定装飾図柄を用いた特定の変動表示態様へ切り替えるか否かを、乱数の取得等を用いた抽選（以下、この抽選を突入抽選といい、該突入抽選の当選確率は１／７３となっている）により決定する（Ｓ３）。つまり、サブ統合ＣＰＵ４２が突入抽選手段５６となり、その突入抽選の結果が非当選である（Ｓ３でＮＯと判断する）と、上述したような制御にしたがい通常の装飾図柄を確定表示させる（Ｓ２）、すなわち外れ装飾図柄表示態様で確定表示させる。
【００２９】
一方、突入抽選の結果が当選である（Ｓ３でＹＥＳと判断する）と、現在の通常の装飾図柄による変動表示の残余時間（予定情報を受信した時点から装飾図柄を確定表示するまでの時間）が上記単位変動時間以上あるか否かを確認する（Ｓ４）。つまり、サブ統合ＣＰＵ４２が残余時間確認手段５７となり、残余時間が単位変動時間に満たない（Ｓ４でＮＯと判断する）と、現在の変動表示を通常の装飾図柄（外れ装飾図柄表示態様）で確定表示する（Ｓ５）。その後、サブ統合ＣＰＵ４２が表示態様切替手段５８となり、消化の優先順位が最も高い予定情報に係る開始コマンドの受信に伴い、図柄表示部６に表示する装飾図柄を特定装飾図柄に変更するとともに、特定変動パターン記憶領域４８から読み出した特定詳細変動パターンにしたがい特定装飾図柄を変動表示及び停止表示する（Ｓ６）。一方、残余時間が単位変動時間以上に残っている（Ｓ４でＹＥＳと判断する）と、現在の変動表示において確定表示となるまでの時間が単位変動時間の自然数倍（１〜７倍）となるタイミングであって、現時点に最も近いタイミングを切替タイミングとして設定した（Ｓ７）後、当該切替タイミングにおいてサブ統合ＣＰＵ４２が表示態様切替手段５８となり、図柄表示部６に表示する装飾図柄を特定装飾図柄に変更するとともに、特定変動パターン記憶領域４８から読み出した特定詳細変動パターンにしたがい特定装飾図柄を変動表示及び停止表示する（Ｓ６）。そして、上述の如くして図柄表示部６での変動表示態様を特定詳細変動パターンによるものに切り替えると、少なくとも突入抽選で当選した予定情報に係る変動表示についてまで（すなわち、突入抽選で当選した予定情報を消化するまで）特定変動パターン記憶領域４８に記憶されている特定詳細変動パターンにしたがった表示演出を継続する。尚、サブ統合ＣＰＵ４２では、予定情報を受信してから残余時間の確認までを極めて短い時間内に実行するため、残余時間を確認するタイミングと予定情報を受信するタイミングとは同じであると見なして何ら問題はない。
【００３０】
ここで、上記突入抽選に当選した際の表示動作を具体的に説明すると、現在の変動表示が基本変動パターンＡに対応するものであり、予定情報を受信したタイミングが変動開始から６秒の時点であると、残余時間が２．０秒しかない（すなわち、Ｓ４でＮＯと判断する）ため、当該変動表示に関しては、２．０秒後に受信する停止コマンドをもって通常の装飾図柄により外れ装飾図柄表示態様で確定表示する（Ｓ５）。しかしながら、次の予定情報に係る図柄の変動を開始する（開始コマンドの受信）にあたり、図柄表示部６に表示する装飾図柄を特定装飾図柄に変更するとともに、特定変動パターン記憶領域４８から読み出した特定詳細変動パターンにしたがい特定装飾図柄を変動表示及び停止表示する（Ｓ６）。このとき、特定詳細変動パターンは上述したように単位変動時間であり、全ての基本変動パターンは単位変動時間の自然数倍の長さであるため、たとえば次の予定情報の基本変動パターンが基本変動パターンＣであると、特定詳細変動パターンによる特定装飾図柄の変動表示及び停止表示を５回繰り返す。つまり、通常の装飾図柄を用いた変動表示態様であれば、１つの予定情報の消化に係り通常の装飾図柄が変動開始してからロングリーチ演出を経て停止表示（確定表示）となる演出が実行されるところ、特定装飾図柄を用いた変動表示態様では、１つの予定情報の消化に係り特定装飾図柄が変動開始となり停止表示（停止表示）となる演出が５回も繰り返して実行されることになる。したがって、遊技者にしてみると、保留表示部２０で表示されている保留の数と図柄表示部６における図柄の変動回数とが一致せず、１つの保留で複数回の変動表示が実行されているかの如き印象を受けることになる。そして、当該特定詳細変動パターンによる表示演出は、少なくとも突入抽選に当選した予定情報に係る変動表示に関してまで継続する。
【００３１】
また、現在の変動表示が基本変動パターンＢに対応するものであり、予定情報を受信したタイミングが変動開始から３．０秒の時点であると、残余時間が９．０秒もある（すなわち、Ｓ４でＹＥＳと判断する）ため、確定表示となるまでの時間が８．０秒となるタイミング（共通変動演出からリーチ確定後の第１リーチ変動演出へ移行するタイミング）を切替タイミングとし（Ｓ７）、当該切替タイミングにおいて装飾図柄を特定装飾図柄とし、且つ、８．０秒間に特定詳細変動パターンによる特定装飾図柄の変動表示及び停止表示を２回繰り返す（Ｓ６）。そして、停止コマンドの受信をもって現在の変動表示を終了した後、開始コマンドの受信をもって消化の優先順位が最も高い予定情報に係る変動表示を開始することになるが、この変動表示は、上記同様に基本変動パターンに応じて特定詳細変動パターンによる特定装飾図柄の変動表示及び停止表示を繰り返す演出となる。つまり、現在の変動表示中に切り替えた特定詳細変動パターンによる表示演出は、少なくとも突入抽選に当選した予定情報に係る変動表示に関してまで継続する。
【００３２】
さらに、現在の変動表示が基本変動パターンＤに対応するものであり、予定情報を受信したタイミングが変動開始から２５秒の時点であると、残余時間が７秒ある（すなわち、Ｓ４でＹＥＳと判断する）ため、確定表示となるまでの時間が４．０秒となるタイミング（リーチ確定後の第３リーチ変動演出を実行途中のタイミング）を切替タイミングとし（Ｓ７）、当該切替タイミングにおいて装飾図柄を特定装飾図柄とし、且つ、４．０秒間で特定詳細変動パターンによる特定装飾図柄の変動表示及び停止表示を１回実行する（Ｓ６）。つまり、図柄表示部６において所謂スーパーリーチ演出中にいきなり装飾図柄が特定装飾図柄に切り替わるとともに、スーパーリーチ演出とは全く異なる特定詳細変動パターンによる表示演出が実行されることになる。
【００３３】
なお、突入抽選に当選した予定情報に係る「大当たり抽選」の結果が「大当たり」である場合、当該予定情報に係る変動表示が終了する際の特定装飾図柄の停止表示態様、すなわち当該予定情報の消化に係る停止コマンドを受信するタイミングでの特定装飾図柄の停止表示態様を、たとえば同一の特定装飾図柄を３つ並べる大当たり特定装飾図柄表示態様とすればよい。また、通常の詳細変動パターンにもとづけばリーチ確定となるタイミング（すなわち共通変動演出から第１〜第３リーチ変動演出へと移行するタイミング）で、装飾図柄を特定装飾図柄から通常の装飾図柄へと変更するとともに、変動表示態様を通常の詳細変動パターンへと切り替えるように構成することも可能である。
【００３４】
次に、突入抽選に当選した後、図柄表示部６で装飾図柄（タイミングによっては通常／特定のどちらでも起こり得る）の変動表示中に予定情報を受信すると、その度に図８に示すような制御を実行する。また、突入抽選に当選することで生起した予定情報に係る特定詳細変動パターンでの変動表示を、予定情報をまたいで継続するか否か、図９に示すような制御で決定する。
【００３５】
まず、サブ統合ＣＰＵ４２は、突入抽選に当選した後、図柄表示部６で装飾図柄の変動表示中に予定情報を受信すると、受信した予定情報よりも古い予定情報に「大当たり抽選」の結果が「大当たり」である予定情報が存在するか否かを判断する（Ｓ１１）。つまり、サブ統合ＣＰＵ４２が大当たり判定手段５５となり、受信した予定情報よりも古い予定情報に「大当たり抽選」の結果が「大当たり」である予定情報が存在すると判断する（Ｓ１１でＹＥＳと判断する）と、後述するような制御を実行せずに終了となる。一方、受信した予定情報よりも古い予定情報に「大当たり抽選」の結果が「大当たり」である予定情報が存在しないと判断する（Ｓ１１でＮＯと判断する）と、今度は受信した予定情報に係る「大当たり抽選」の結果が「大当たり」であるか否かを判断する（Ｓ１２）。すなわち、サブ統合ＣＰＵ４２が再度大当たり判定手段５５となり、「大当たり抽選」の結果が「大当たり」でないと判断する（Ｓ１２でＮＯと判断する）と、特定詳細変動パターンでの表示演出を当該予定情報に係る変動表示まで継続させるか否かを、乱数の取得等を用いた抽選（以下、この抽選を継続抽選といい、該継続抽選の当選確率は１／８となっている）により決定する（Ｓ１３）。つまり、サブ統合ＣＰＵ４２が継続抽選手段５９となり、その継続抽選の結果が非当選である（Ｓ１３でＮＯと判断する）と、その旨を予定情報に含ませて予定情報記憶領域４７に記憶させ（Ｓ１４）た後、終了する。なお、継続抽選とは別に、上記Ｓ２と同じ突入抽選も継続抽選と同じタイミングで行っており（すなわち、Ｓ１３では突入抽選手段５６としての抽選も実行する）、該突入抽選の結果についてもＳ１４で予定情報に含ませている。
【００３６】
一方、継続抽選の結果が当選である（Ｓ１３でＹＥＳ）と、サブ統合ＣＰＵ４２が予定情報書換手段５４となり、自身よりも古い予定情報について継続抽選の結果が非当選であると、継続抽選の結果を当選に書き換えるとともに、自身についても継続抽選の結果が当選である旨を予定情報に含ませて予定情報記憶領域４７に記憶させ（Ｓ１５）た後、終了する。また、Ｓ１２で予定情報に係る「大当たり抽選」の結果が「大当たり」であると判断した場合には、継続抽選の結果が当選である場合と同じ制御を実行する。すなわち、Ｓ１５へと進み、サブ統合ＣＰＵ４２が予定情報書換手段５４となり、自身よりも古い予定情報について継続抽選の結果が非当選であると、継続抽選の結果を当選に書き換えるとともに、自身についても継続抽選の結果が当選である旨を予定情報に含ませて予定情報記憶領域４７に記憶させる。したがって、予定情報に係る「大当たり抽選」の結果が「大当たり」であると判断した場合には、継続抽選の結果が無条件で当選になると言うことができる。
【００３７】
そして、サブ統合ＣＰＵ４２では、突入抽選に当選した予定情報に係る特定詳細変動パターンでの変動表示が終了する（すなわち停止コマンドを受信する）と、次に消化する予定情報が存在するか否かを確認する（Ｓ２１）。つまり、サブ統合ＣＰＵ４２が予定情報確認手段５３となり、消化する予定情報が存在する（Ｓ２１でＹＥＳと判断する）と、当該予定情報に係る開始コマンドの受信に伴い、今回消化する予定情報の継続抽選の結果を確認する（Ｓ２２）。つまり、再びサブ統合ＣＰＵ４２が予定情報確認手段５３となり、継続抽選の結果が当選である（Ｓ２２でＹＥＳと判断する）と、当該予定情報に係る変動表示についても、引き続き特定装飾図柄を用いた特定詳細変動パターンでの表示演出を継続し（Ｓ２３）、当該予定情報に係る停止コマンドの受信に伴い、再びＳ２１へと戻る。
【００３８】
一方、継続抽選の結果が非当選である（Ｓ２２でＮＯと判断する）と、今回消化する予定情報に係る突入抽選の結果を確認する（Ｓ２４）。つまり、再びサブ統合ＣＰＵ４２が予定情報確認手段５３となり、突入抽選の結果が当選である（Ｓ２４でＹＥＳと判断する）と、上記Ｓ２２でＹＥＳと判断した場合と同じく、当該予定情報に係る変動表示について、引き続き特定装飾図柄を用いた特定詳細変動パターンでの表示演出を継続し（Ｓ２３）、当該予定情報に係る停止コマンドの受信に伴い、再びＳ２１へと戻る。一方、突入抽選の結果が非当選である（Ｓ２４でＮＯと判断する）と、サブ統合ＣＰＵ４２が表示態様切替手段５８となり、図柄表示部６に表示する装飾図柄を特定装飾図柄から通常の装飾図柄に変更するとともに、通常変動パターン記憶領域４６から読み出した詳細変動パターンにしたがい装飾図柄を変動表示及び停止表示する（Ｓ２５）変動表示態様へと復帰する。
【００３９】
また、次に消化する予定情報が存在しない場合（Ｓ２１でＮＯと判断する場合）、図柄表示部６では特定装飾図柄のまま停止表示を継続し、次に遊技球が始動入賞口１９又はチューリップ式電動役物１７へ入賞したことをもってメインＣＰＵ３２から送信されてくる予定情報の受信に伴い、サブ統合ＣＰＵ４２は突入抽選手段５６となって上記同様の突入抽選を実行する（Ｓ２６）。そして、Ｓ２４で突入抽選の結果を確認し、突入抽選の当否に応じて上記同様の制御を実行する。
【００４０】
ここで、上記継続抽選や突入抽選の結果、予定情報の有無等にもとづく表示動作の具体的な説明をする。たとえば保留が２つ（すなわち予定情報が２つ）存在しており、そのどちらの予定情報についても「大当たり抽選」及び継続抽選共に結果が外れである状況を考える。この状況において更に遊技球が始動入賞口１９又はチューリップ式電動役物１７へ入賞すると、当該入賞に係る予定情報についても当然ながら大当たり判定及び継続抽選を実行し（Ｓ１２、Ｓ１３）、当該予定情報に係る「大当たり抽選」の結果が「大当たり」である若しくは継続抽選が当選であると、消化の優先順位が高い２つの予定情報についても継続抽選の結果を当選に書き換え（Ｓ１５）、少なくともこの３つ目の予定情報に係る変動表示が終了するまで特定装飾図柄を用いた特定詳細変動パターンでの表示演出を継続する（Ｓ２１〜Ｓ２３）。
【００４１】
また、上記３つ目の予定情報の取得以降に１度も遊技球の始動入賞口１９への入賞が発生しないまま、その３つ目の予定情報に係る変動表示が終了する（Ｓ２１でＮＯと判断する状況になる）と、次に新たな入賞が発生するまで、特定詳細変動パターンで使用する背景のまま特定装飾図柄を停止表示する。なお、サブ統合ＣＰＵ４２は、現在の変動表示演出中に、次に消化しなければならない予定情報が存在するか否かを先読みしており、予定情報が存在しないまま現在の変動表示を終了させる際、現在の変動表示における最後の特定詳細変動パターンにおいて、扉が閉まるアニメーションを追加する。したがって、扉が閉まった背景表示上に特定装飾図柄が停止表示しているような表示態様となる。そして、新たな入賞が発生した際、当該入賞に係る予定情報に応じて突入抽選を実行し（Ｓ２６）、突入抽選が当選であると、扉が開くアニメーションを表示した上で、特定装飾図柄を用いた特定詳細変動パターンでの表示演出を継続させる（Ｓ２３）ことになる。また、このとき継続を報知するメッセージ（たとえば「まだまだ！」）を図柄表示部６に追加表示してもよい。一方、突入抽選が非当選であると、扉が開くアニメーションを表示した上で、通常の詳細変動パターンにしたがった通常の装飾図柄の変動表示へと復帰させる（Ｓ２５）ことになる。
【００４２】
一方、３つ目の予定情報に係る継続抽選が外れ、次に新たな入賞が発生する前に最も古い予定情報に係る変動表示を開始する際には、その最も古い予定情報の突入抽選の結果を確認し（Ｓ２２）、突入抽選が当選している場合にのみ特定装飾図柄を用いた特定詳細変動パターンでの表示演出を継続する（Ｓ２３）。なお、サブ統合ＣＰＵ４２は、現在の変動表示演出中に、次の予定情報の継続抽選の当否に関しても先読みしており、継続抽選の結果が外れのまま現在の変動表示を終了させる際、上記同様に現在の変動表示における最後の特定詳細変動パターンにおいて、扉が閉まるアニメーションを追加する。そして、次の予定情報（ここでは最も古い予定情報）に係る変動表示を開始する際に、突入抽選の結果を確認し（Ｓ２４）、突入抽選が当選であると、扉が開くアニメーションを表示した上で、特定装飾図柄を用いた特定詳細変動パターンでの表示演出を継続させる（Ｓ２３）ことになる。また、このときも上記同様に継続を報知するメッセージを図柄表示部６に追加表示してよい。一方、突入抽選が非当選であると、扉が開くアニメーションを表示した上で、通常の詳細変動パターンにしたがった通常の装飾図柄の変動表示へと復帰させる（Ｓ２５）ことになる。
【００４３】
なお、図柄表示部６において保留が１つも存在せず、且つ、通常の装飾図柄が確定表示で停止している状態において、遊技球の始動入賞口１９又はチューリップ式電動役物１７への入賞が発生した場合については、上記図９におけるＳ２４〜Ｓ２６と略同じ制御を実行する。すなわち、サブ統合ＣＰＵ４２は、予定情報の受信に応じて、突入抽選を実行し、該突入抽選が当選である場合にのみ、通常の装飾図柄から特定装飾図柄へと変更し、該入賞に係る図柄の変動表示を、特定装飾図柄を用いた特定詳細変動パターンによる変動表示とする。
【００４４】
（本実施形態のパチンコ機による効果）
上述したような制御を実行するパチンコ機１によれば、図柄表示部６において装飾図柄を変動表示中に予定情報（すなわち保留情報）が発生すると、図柄表示部６における変動表示態様を、特定装飾図柄を用いた特定詳細変動パターンによるものへと切り替えるか否かの突入抽選を実行するとともに、当該変動表示に係る残余時間を確認する。そして、突入抽選に当選し、且つ、残余時間が特定時間（実施形態では所定の単位変動時間）以上あると、当該変動表示中に、図柄表示部６における変動表示態様を、特定装飾図柄を用いた特定詳細変動パターンによる変動表示態様へと切り替える。したがって、図柄表示部６における通常の装飾図柄の変動中に、その変動表示態様が急に切り替わるといった従来にない斬新な演出を提供することができる。また、保留数が１つしか存在しなくても変動表示態様が切り替わり得るため、保留数が複数必要だった従来のものと比較して切り替わる状況が発生しやすく（ひいては切り替わる演出が出現しやすく）、遊技性の高いパチンコ機１とすることができる。
【００４５】
また、特定詳細変動パターンが、特定装飾図柄を変動開始してから所定の単位変動時間の経過をもって特定装飾図柄を停止表示するものであり、残余時間が単位変動時間以上あると、確定表示となるまでの時間が単位変動時間の自然数倍となるタイミングにおいて図柄表示部６における変動表示態様を、特定装飾図柄を用いた特定詳細変動パターンによる変動表示態様へと切り替えるとともに、特定詳細変動パターンでの特定装飾図柄を変動表示及び停止表示を所定回繰り返す。したがって、予定情報を取得したタイミングにもとづいて図柄表示部６における変動表示態様が切り替わるタイミングが変わるため、趣向性が更に増すし、保留表示部２０で保留の数が変動する態様と特定装飾図柄の変動回数とが一致しないという新たな表示演出を遊技者に提供することができる。
【００４６】
さらに、基本変動パターンの変動時間が単位変動時間の自然数倍となっているため、特定装飾図柄を用いた特定詳細変動パターンによる変動表示態様にて図柄表示部６における表示演出を制御するにあたっては、選択された基本変動パターンに対応する回数だけ特定詳細変動パターンによる変動表示態様を繰り返せばよい。したがって、特定詳細変動パターンとして予め記憶しておかなければならないものの種類が少なくてすみ（本実施形態では１種類でよい）、記憶領域を節約することができるし、そのように少ない種類の特定詳細変動パターンで繰り返し回数が異なる等の多様な表示演出を遊技者に提供することができる。
【００４７】
加えて、突入抽選に当選後は、予定情報を受信する度に、複数の予定情報をまたいで特定詳細変動パターンによる変動表示態様を継続するか否かを決定する継続抽選を実行するとともに、継続抽選に当選した場合、自身よりも消化の優先度が高い予定情報における継続抽選の抽選結果が外れであると当選に書き換え、少なくとも継続抽選に当選した予定情報に係る変動表示までは特定詳細変動パターンによる変動表示態様を継続する。したがって、特定詳細変動パターンによる変動表示態様から通常の詳細変動パターンによる変動表示態様へと復帰するタイミングが一様でないし、特定詳細変動パターンによる変動表示態様が複数の予定情報をまたいで継続しやすくすることができる。
【００４８】
（本発明の変更例について）
なお、本発明のパチンコ機に係る構成は、上記実施形態に何ら限定されるものではなく、パチンコ機全体の構成、大当たり状態の内容や大当たり状態の終了後の遊技状態に係る構成、及び制御機構に係る構成等について、本発明の趣旨を逸脱しない範囲で必要に応じて適宜変更可能である。
【００４９】
たとえば、上記実施形態では、突入抽選や継続抽選の当選確率を一律としているが、特別図柄の変動回数等に応じて突入抽選や継続抽選の当選確率が変化するように構成してもよいし、突入抽選や継続抽選の当選確率は言うまでもなく変更可能である。
また、上記実施形態では、特定詳細変動パターンとして変動時間が単位変動時間である１種類しか備えていないが、図柄変動中に切り替える際に使用する変動時間が特定時間である切替時変動パターンと、継続中に使用する基本変動パターンの種類と対応した夫々異なる変動時間を有する複数種類の特定詳細変動パターンとを備えるように構成してもよい。なお、この場合、切替時変動パターンの特定時間を所定の基本変動パターンの変動時間を対応させ、切替時変動パターンを継続中に使用するようにしても何ら問題はない。
【００５０】
さらに、上記実施形態では、全ての基本変動パターンにおいて変動時間が単位変動時間の２倍以上の長さとなっているが、変動時間が単位変動時間と同じ長さ（すなわち１倍）である基本変動パターンを設定してもよく、たとえば保留の数が最大値に達しているような場合に、そのような基本変動パターンが選択されるようにするといった構成が考えられる。
さらにまた、特定詳細変動パターンにおける特定装飾図柄の停止表示とは、特定装飾図柄を完全に停止させる表示に限るものではなく、完全には停止させず、上下左右等へ特定装飾図柄を僅かに揺らせるような表示も含む。
【００５１】
また、上記実施形態では、Ｓ１で受信した予定情報よりも古い予定情報に「大当たり抽選」の結果が「大当たり」である予定情報が存在するか否かを判断し、その判断結果にもとづいて突入抽選を実行するか否かを決定しているが、たとえ受信した予定情報よりも古い予定情報に「大当たり抽選」の結果が「大当たり」である予定情報が存在していたとしても突入抽選を実行し、当選した場合には、特定装飾図柄を用いた特定詳細変動パターンによる変動表示態様にて図柄表示部における表示演出を実行するように構成する、すなわちＳ１で、受信した予定情報よりも古い予定情報に「大当たり抽選」の結果が「大当たり」である予定情報が存在するか否かといった判断を行わないように構成することも可能である。なお、受信した予定情報よりも古い予定情報に「大当たり抽選」の結果が「大当たり」である予定情報が存在し、且つ、突入抽選に当選した場合には、「大当たり抽選」の結果が「大当たり」である予定情報に係る変動表示まで特定装飾図柄を用いた特定詳細変動パターンによる変動表示態様を継続するとともに、「大当たり状態」の終了後、再び特定装飾図柄を用いた特定詳細変動パターンによる変動表示態様で図柄表示部における表示演出を制御するように構成してもよい。また、「大当たり状態」の生起をもって突入抽選の結果等をリセットする（すなわち、特定装飾図柄を用いた特定詳細変動パターンによる変動表示態様による表示制御を終了する）ように構成してもよい。
【００５２】
さらに、上記実施形態では、全ての基本変動パターンの変動時間を特定詳細変動パターンの単位変動時間の自然数倍としているが、上述の如く変動時間が異なる複数の特定詳細変動パターンを備える等すれば、全ての基本変動パターンの変動時間を特定詳細変動パターンの単位変動時間の所定倍とする必要はない。
さらにまた、上記実施形態では、図柄表示部６とは別に保留表示部２０を設けているが、図柄表示部６において保留数を表示する（すなわち、図柄表示部６が保留表示部としての機能をも有する）ように構成することも可能である。さらに、Ｓ１２で受信した予定情報に係る「大当たり抽選」の結果が「大当たり」であるか否かを判断し、「大当たり」である場合には無条件に継続抽選の結果を当選としているが、Ｓ１２を省略する、すなわち「大当たり抽選」の結果が「大当たり」であったとしても、特定装飾図柄を用いた特定詳細変動パターンによる変動表示態様による表示制御が終了となるような場合を起こり得るように構成してもよい。
【００５３】
またさらに、上記実施形態では、メイン制御装置とサブ制御装置との２つの制御装置に分けて制御するように構成しているが、メイン制御装置１つで制御するように構成してもよく、メイン制御装置に特定変動パターン記憶領域や通常の詳細変動パターン記憶領域を有する記憶手段等を設けてもよいし、メイン制御装置１つで制御する際には、予定情報等を作成する必要はなく、保留情報のみを用いて突入抽選や継続抽選を実行すればよい。
また、上記実施形態では、メイン制御装置からサブ制御装置へ開始コマンドと受信コマンドとを送信するようにしているが、サブ制御装置のタイマを用いる等することで、受信コマンドについては送信しない構成としても何ら問題はない。
加えて、上記実施形態では、特別図柄と装飾図柄との２つの図柄を用いるパチンコ機について説明しているが、特別図柄のみを用いたパチンコ機であれば、図柄表示部に特別図柄を表示するとともに、突入抽選に当選すると、特別図柄を特定特別図柄（特定図柄）に変更する等するように構成することも可能である。
【符号の説明】
【００５４】
１・・パチンコ機、２・・遊技盤、６・・図柄表示部、１６・・遊技領域、１９・・始動入賞口、２０・・保留表示部、３０・・メイン制御装置（制御装置）、４０・・サブ制御装置（制御装置）、４２・・サブ統合ＣＰＵ、４３・・記憶手段、４４・・タイマ、４５・・通常変動パターン記憶領域、４７・・予定情報記憶領域（保留情報記憶領域）、４８・・特定変動パターン記憶領域、５３・・予定情報確認手段、５４・・予定情報書換手段、５５・・大当たり判定手段、５６・・突入抽選手段、５７・・残余時間確認手段、５８・・表示態様切替手段、５９・・継続抽選手段。
【図１】
2013188468.tif 000003
【図２】
2013188468.tif 000004
【図３】
2013188468.tif 000005
【図４】
2013188468.tif 000006
【図５】
2013188468.tif 000007
【図６】
2013188468.tif 000008
【図７】
2013188468.tif 000009
【図８】
2013188468.tif 000010
【図９】
2013188468.tif 000011